(57)【要約】【課題】印刷面上にフィルムが張られた身分証の真偽鑑別をより正確に行うこと。【解決手段】前記身分証の印刷面上に張られたフィルムの配向度の判定結果により身分証の真偽を鑑別する。フィルムの配向度は、フィルムによる偏光赤外線吸収の強弱を用いて判定する。【選択図】  図１
2006130799.tif 000002
【特許請求の範囲】
【請求項１】
印刷面上にフィルムが張られた身分証の真偽鑑別方法において、フィルムによる赤外線吸収の強弱が赤外線の偏光方向によって異なることを用いて、身分証の真偽を判定することを特徴とする身分証真偽鑑別方法。
【請求項２】
偏光された赤外線により身分証の印刷面上に張られたフィルムの配向度の判定を行う第１の真偽鑑別手段と、前記各真偽鑑別手段による計測結果を基に真偽鑑別の判定を行う鑑別判定処理手段と、各種身分証に関する情報を蓄えたデータベースと、鑑別中の身分証に関する情報を入力する入力手段と、鑑別結果を表示する表示手段とを備えたことを特徴とする身分証真偽鑑別システム。
【発明の詳細な説明】
【技術分野】
【０００１】
本発明は、旅券真偽自動判定機等身分証を扱う自動機の、身分証真偽鑑別方法及びそのシステムであり、旅券、運転免許証、身分証等、紙葉、カード上に印刷され、その上にフィルムが張られることによって価値を持たせられた身分証の、真偽鑑別及びそのシステムに関するものである。
【背景技術】
【０００２】
従来の技術としては、例えば、赤外線による吸収の有無を用いてフィルムの材質を判定し真偽を鑑別する方法、共焦点光学系を用いてフィルムの厚さを測定し真偽を鑑別する方法がある（例えば特許文献１を参照）。
【特許文献１】特願２００４−２４７７１７
【０００３】
これは偽造・変造された身分証のフィルムには、真券とは異なる材質・厚さのものが使用されているケースが多いからである。
【０００４】
このように、身分証の真偽を鑑別するときは、フィルムの材質や厚さを確認している。
【発明の開示】
【発明が解決しようとする課題】
【０００５】
上述した真偽鑑別方法では、フィルムの材質や厚さを確認し、それが真券と一致するか否かにより真偽が判断されている。
【０００６】
しかし、材質・厚さ以外に新たに真偽を判定する方法が加われば、真偽の判定精度がより高まると考えられ、偽変造行為が技術的・経済的により困難になると考えられる。
【０００７】
本発明は、上記の目的を達成するために成されたものであり、その目的は身分証の真偽鑑別をさらに精度よく行い、偽変造行為を技術的・経済的にさらに困難にすることを目的とする。
【課題を解決するための手段】
【０００８】
本願において開示される発明のうち、代表的なものの概要は下記のとおりである。
【０００９】
印刷面上にフィルムが張られた身分証の真偽鑑別方法において、前記身分証の印刷面上に張られたフィルムの配向度を検査し、その結果を真券と比較することにより身分証の真偽を鑑別する。
【００１０】
フィルムの配向度は、特定の波長の、偏光方向が９０度異なる２種類の赤外線を試料に照射し、フィルムによる赤外線の吸収の強弱が、赤外線の偏光方向によって異なることを用いて測定する。
【００１１】
赤外線により身分証の印刷面上に張られたフィルムの配向度を測定する手段と、その計測結果を基に真偽鑑別の判定を行う鑑別判定処理手段と、各種身分証に関する情報を蓄えたデータベースと、鑑別中の身分証に関する情報を入力する入力手段と、鑑別結果を表示する表示手段とを備えた、身分証真偽鑑別システムを作成する。
【発明の効果】
【００１２】
本願において開示される発明のうち代表的なものによって得られる効果を簡単に説明すれば、下記のとおりである。
【００１３】
フィルムの配向度の測定を身分証の真偽判定を加えることにより、身分証の真偽の鑑別をより精度よく行うことが可能となる。
【００１４】
新たな真偽判定基準が加わることで、偽変造者は真正身分証と同じ特徴を持ったフィルムを入手することがより困難になり、偽変造に対する抑止効果の向上が期待される。
【００１５】
さらに真正旅券に、市販品には存在しないような配向分布を持つフィルムを用いれば、偽変造行為はより難しいものとなる。
【発明を実施するための最良の形態】
【００１６】
図１は、本発明の身分証の真偽鑑別を行うシステムの実施形態として、旅券の真偽鑑別を行う旅券真偽自動判定機の構成を示す図である。
【００１７】
本実施形態の旅券真偽自動判定機１は図１に示すように、試料を載せる試料台２と、旅券の印刷面上に張られたフィルムの配向度を測定するユニット３と検査対象旅券の国籍を入力する入力部４と、各国の旅券に関するデータが蓄積されたデータベース５と、測定ユニットにより測定されたデータとデータベースから送られてきたデータを基に真偽を鑑別する旅券鑑別部６と、真偽の判定結果を表示する表示部７からなる。なお、本発明と直接関係のない各部の制御部等は図示していない。
【００１８】
次に、本実施形態の配向度測定ユニットについて説明する。図２は、本実施形態における配向度測定ユニット３を説明するための図である。
【００１９】
図1に示すように、試料台上に置かれた旅券は、配向度測定ユニット３によりデータが採取される構成をとる。
【００２０】
偽造品だけでなく変造品をも鑑別するために、配向度測定ユニット３は顔写真近傍のフィルムのデータを採取する構成をとる。
【００２１】
配向度測定ユニット３は、図２に示すように、２つの異なる波長の赤外線光源３１、３２を備える。シャッター３３とミラー３４により試料に照射される赤外線の波長を切り替えることができる。光源から放射された赤外線は、ビームスプリッター３５によって旅券に張られたフィルムに対して垂直に入射し、旅券からの反射光は偏光子３６を通過した後に検出器３７で検出される。
【００２２】
偏光子３６は、試料に対して平行な平面内で回転することができ、任意の回転角度で停止することができる。
【００２３】
照射する赤外線の波長と偏光子の回転角度を変化させながら検出器に入射する光量を測定し、そのデータを旅券鑑別部に送る。
【００２４】
赤外線光源の数は必ずしも２つである必要はなく、必要に応じて増やすこともある。
【００２５】
次に、本実施形態の旅券真偽自動判定機1の処理について説明する。図３は、本実施形態の旅券真偽自動判定機1の処理を説明するためのフローチャートである。
【００２６】
本実施形態の旅券真偽自動判定機は、試料台２の上に鑑別対象の旅券が置かれる。
【００２７】
旅券真偽鑑別処理部では、偏光赤外線を利用したフィルムの配向度測定が行われ、測定結果が旅券鑑別部に送られる。
【００２８】
一方、入力された国籍データに基づく旅券の情報が旅券鑑別部に送られる。
【００２９】
そして、測定結果をデータベースのデータと比較し旅券の鑑別を行う。
【００３０】
鑑別の結果は、判定結果表示に送られ、機器使用者に判定結果を知らせる。
【００３１】
以上、本発明者によってなされた発明を、前記実施形態に基づき具体的に説明したが、本発明は、前記実施形態に限定されるものではなく、その要旨を逸脱しない範囲において種々変更可能であることは勿論である。
【図面の簡単な説明】
【００３２】
【図１】本発明の実施形態にかかる旅券の真偽鑑別を行う旅券真偽自動判定機の構成を示す図である。
【図２】本実施形態における旅券真偽自動判定機の配向度測定ユニット３を説明するための図である。
【図３】本実施形態の旅券真偽自動判定機1の処理を説明するためのフローチャートである。
【符号の説明】
【００３３】
１…旅券真偽自動判定機、２…試料台、３…配向度測定ユニット、３１…赤外線源１、３２…赤外線源２、３３…シャッター、３４…ミラー、３５…ビームスプリッター、３６…偏光子、３７…検出器、４…国籍入力部、５…データベース、６…旅券鑑別部、７…判定結果表示部
【図１】
2006130799.tif 000003
【図２】
2006130799.tif 000004
【図３】
2006130799.tif 000005